(57)【要約】      （修正有）【課題】内容の復号に必要な内容保護情報、赤色レーザの読取パラメータの設定に使用される光媒体ディスクタイプ情報、または内容の読取りに必要なキーであるエネーブリング情報を記憶する。【解決手段】エネーブリング情報は青色レーザの照射により読取可能であるが赤色レーザによる照射では弁別可能ではないように光媒体中に配置される。例えばエネーブリング情報は青色レーザの焦点がマークの読取を可能にする光媒体中の外面に位置され、赤色レーザは個々のマークに焦点を結ぶのに不十分な正確さである。マークは青色光を反射するが赤色光の反射を阻止する材料により外面にインクで付けられてもよい。代わりに、エネーブリング情報には位相消去により反射エネルギを減少するため赤色レーザの約１／２波長の大きさにされた穴を形成される。【選択図】図１
2006318632.tif 000002
【特許請求の範囲】
【請求項１】
厚さおよびスピンドル開口を有するディスクとして形成された材料と、
厚さの第１の深さにおいて前記材料中に配置されたデータ層と、
厚さの第２の深さにおいて前記材料中に配置されたエネーブリング情報とを有し、
前記データ層は内容情報を表すマークを有し、それらのマークは第１の深さで前記材料の厚さを通して焦点を結ばれる第１のレーザによって個々に照射されるような寸法にされ、
前記エネーブリング情報は、第２の深さで前記材料の厚さを通して焦点を結ばれる第２のレーザによって個々に照射される寸法にされたマークにより表され、前記エネーブリング情報のマークは第２の深さで前記材料の厚さを通して焦点を結ばれる第１のレーザにより弁別可能ではないように形成されている光媒体。
【請求項２】
前記エネーブリング情報は前記データ層に記憶された内容の保護に関連する内容保護情報を含んでいる請求項１記載の光媒体。
【請求項３】
前記エネーブリング情報はレーザ読取パラメータの設定のため光媒体タイプを識別する情報を含んでいる請求項１記載の光媒体。
【請求項４】
前記エネーブリング情報は書込みパラメータの設定のため光媒体タイプを識別する情報を含んでいる請求項１記載の光媒体。
【請求項５】
前記エネーブリング情報は前記データ層に記憶されている内容を読取るためのキーを含んでいる請求項１記載の光媒体。
【請求項６】
前記第１のレーザは赤色レーザであり、前記第２のレーザは青色レーザである請求項１記載の光媒体。
【請求項７】
前記エネーブリング情報は追跡のない前記第２のレーザによる読取に十分な幅を有している請求項１記載の光媒体。
【請求項８】
前記第１の深さは０．６ｍｍであり、前記第２の深さは０．１ｍｍである請求項１記載の光媒体。
【請求項９】
前記マークは深さを有するピットを有し、前記エネーブリング情報のピットは前記エネーブリング情報のピットから前記第１のレーザにより反射される光の位相消去を強化するため前記第１のレーザの約１／２波長の深さを有する請求項１記載の光媒体。
【請求項１０】
前記第２の深さは前記光媒体の前記表面におけるマークを含んでいる請求項１記載の光媒体。
【請求項１１】
前記エネーブリング情報は前記第１のレーザからの光の反射率を減少させる材料でマークされている請求項１記載の光媒体。
【請求項１２】
エネーブリング情報を読取るために光媒体の第１の部分を青色レーザによって照射し、
内容情報を読取るために光媒体の第２の部分を赤色レーザによって照射するように前記エネーブリング情報を供給するステップを含み、前記内容情報は前記エネーブリング情報なしではアクセス可能ではない光媒体から情報を読取る方法。
【請求項１３】
さらに、前記赤色レーザにより読取ることのできないフォーマットで前記エネーブリング情報を前記光媒体に形成する処理を含んでいる請求項１２記載の方法。
【請求項１４】
前記エネーブリング情報の形成においてさらに、前記赤色レーザでは可能ではないが、前記青色レーザにより個々に弁別可能であるディメンションを有するマークを形成する請求項１３記載の方法。
【請求項１５】
前記エネーブリング情報の形成においてさらに、赤色レーザ光の位相消去を強化する深さを有するピットを形成する請求項１３記載の方法。
【請求項１６】
前記エネーブリング情報の形成においてさらに、前記青色レーザの焦点に近いが前記赤色光の焦点から離れている深さにマークを形成する請求項１３記載の方法。
【請求項１７】
前記エネーブリング情報の深さは、実質的に前記光媒体の前記外部表面である請求項１６記載の方法。
【請求項１８】
エネーブリング情報の形成においてさらに、赤色光の反射率を減少させる材料でマークを形成する請求項１３記載の方法。
【請求項１９】
前記エネーブリング情報は、前記内容情報を復号するのに必要な内容保護情報を有している請求項１２記載の方法。
【請求項２０】
前記エネーブリング情報は、光媒体のディスクタイプを識別する情報を含んでいる請求項１２記載の方法。
【請求項２１】
前記エネーブリング情報は、前記内容情報にアクセスするためのキーを含んでいる請求項１２記載の方法。
【請求項２２】
情報の処理を行う複数の処理コンポーネントと、
前記処理コンポーネントとインターフェースし、光媒体から読取られた情報を前記処理コンポーネントへ通報するように動作し、青色レーザと赤色レーザとを有している光ドライブと、
前記光ドライブに関連し、前記光媒体の第１の部分を青色レーザにより照射してエネーブリング情報を読取り、このエネーブリング情報を供給して赤色レーザにより前記光媒体の第２の部分を照射して内容情報を読取る読取エンジンとを具備している情報処理システム。
【請求項２３】
前記エネーブリング情報は、前記内容情報の復号に必要な内容保護情報を含んでいる請求項２２記載の情報処理システム。
【請求項２４】
前記内容情報は市販のビデオを含んでいる請求項２３記載の情報処理システム。
【請求項２５】
前記エネーブリング情報は、光媒体ディスクのタイプを識別する情報を含んでいる請求項２２記載の情報処理システム。
【請求項２６】
前記青色レーザは前記エネーブリング情報を読取るために予め定められた深さで焦点を結ぶように構成され、前記エネーブリング情報は前記予め定められた深さでは前記赤色レーザに対して弁別可能ではない請求項２２記載の情報処理システム。
【請求項２７】
前記予め定められた深さは実質的に前記光媒体の外部表面に位置している請求項２６記載の情報処理システム。
【請求項２８】
前記エネーブリング情報は、前記光媒体の外部表面上にインクで形成されたマークを有し、そのインクは赤色光の反射を行わないインクである請求項２７記載の情報処理システム。
【請求項２９】
前記青色レーザは情報を追跡しないで前記エネーブリング情報を読取る請求項２１記載の情報処理システム。
【請求項３０】
前記エネーブリング情報は、内容情報をアクセスするためのキーを含んでいる請求項２１記載の情報処理システム。
【発明の詳細な説明】
【技術分野】
【０００１】
本発明は一般的に情報処理システムの光記憶媒体に関し、特にマルチレーザ光媒体用のシステムおよび方法に関する。
【背景技術】
【０００２】
情報の価値および使用が増加し続けるにつれて、個人及び企業は情報を捕捉し、処理し、記憶する付加的な方法を模索している。ユーザに利用可能な１つの選択肢は情報処理システムである。情報処理システムは一般的に、ビジネス、個人的またはその他の目的で情報またはデータを処理し、編集し、記憶し、および／または通信し、それによってユーザが情報の価値を利用することを可能にする。技術及び情報処理の必要性と要求はユーザまたは応用が異なることにより変化するので、情報処理システムもまた、処理される情報、情報が処理される態様、処理され記憶されまたは通信される情報の量、情報が処理され記憶されまたは通信される速度および効率に関して変化する。情報処理システムのバリエーションによって情報処理システムは汎用化されるか、或いは特別なユーザまたは情報処理システムが財務トランザクション処理、航空機の予約、企業のデータ記憶またはグローバル通信のような特別使用のために構成されることができる。さらに、情報処理システムは情報の処理、記憶、通信のために構成される種々のハードウェア及びソフトウェアコンポーネントを含むことができ、１以上のコンピュータシステム、データ記憶システム、ネットワーク化システムを含むことができる。
【０００３】
情報処理システムは時間と共に強力になっているので、より多くの情報を記憶する媒体の需要が増加している。光媒体は価格が効率的である実効的なポータブル記憶媒体であることが判明している。初期には、赤外線レーザがコンパクトディスク（ＣＤ）光媒体の読取り及び書込みに使用された。徐々に、所定のサイズの媒体へより多くの情報を記憶する努力によって、赤色レーザがデジタルバーサタイルディスク（ＤＶＤ）媒体に対する読取り、書込みに開発された。赤色レーザは赤外線レーザよりも短い波長を有し、したがって媒体上のより小さいサイズのマークでインターフェースし、所定の領域でより多量のマークを可能にする。現在、より多量の情報を所定のサイズの媒体に記憶する努力によって、産業界は青色レーザベースの媒体を開発中である。より短い波長の青色レーザはより小型のマークと、より過密の情報記憶を可能にする。
【０００４】
レーザが光媒体から読取るため、レーザからの光は情報が可変の反射率を有するマークとして記憶される媒体中の領域を照射するように焦点を結ばれる。ＣＤ媒体では、レーザはディスクの後部のマークに到達するように約１．２ｍｍのディスクの厚さを通して焦点を結ばれ、一方でＤＶＤ媒体は約０．６ｍｍの、ディスクの厚さの中間の位置にマークを有する。ブルーレイ標準方式として知られている青色レーザ媒体についての１提案では、ディスクの前面の近くにマークを位置させ、レーザがディスクの内部の約０．１ｍｍの深さに焦点を結ばせる。各タイプのレーザでは、レーザの焦点上のディスク材料の影響を考慮するために調節を行う。全体として、ディスクの前面近くに青色レーザのマークを位置させることによって、小さいレーザ焦点を有することによりマークを深い場所に位置させすることと比較して、より大きいマーク密度を可能にする。
【発明の開示】
【発明が解決しようとする課題】
【０００５】
ブルーレイ標準方式は赤色レーザの読取り可能なディスク（ＢＤ９ディスク）および青色レーザの読取り可能なディスク（ＢＤ２５とＢＤ５０ディスク）を含むことができる。ＤＶＤ密度ＢＤ９媒体はＤＶＤ技術を赤色レーザを有する読取りディスクへ拡張することにより製造価格が低下させている。しかしながら、光ドライブがブルーレイコンプライアントとしてラベル付けされているが、ＢＤ９ディスクの読取りのために赤色レーザだけを含んでいるならば、ユーザに潜在的な混乱が生じる。このようなブルーレイコンプライアントドライブは青色レーザ媒体と相互動作できない。ブルーレイ標準方式の本体は光ドライブに青色および赤色レーザの両者を含ませる要求が強いられるという大きな欠点を有する。
【０００６】
それ故、第２のレーザタイプによりアクセスするために記憶される情報を有している光媒体上で第１のレーザタイプの使用を必要とするシステムおよび方法の必要性が生じている。
【課題を解決するための手段】
【０００７】
本発明によれば、光媒体から情報を読取るための従来の方法およびシステムに関する欠点及び問題を実質的に減少するシステムおよび方法が提供される。内容は第１のレーザにより読取り可能な光媒体の第１の部分に記憶されている。光媒体の第２の部分に記憶されているエネーブリング情報は第２のレーザにより読取られ、第１のレーザにより光媒体の第１の部分に記憶されている内容情報を読取るために適用される。第２のレーザにより読取り可能であるが、第１のレーザにより弁別可能ではないエネーブリング情報は、光ドライブが光媒体と両立するように光ドライブに両レーザを含ませることを確実にする。
【０００８】
特に、光媒体を情報処理システムの光ドライブに挿入するとき、読取りエンジンは青色レーザにより光媒体のエネーブリング情報部分を照射し、内容保護情報、光ディスクタイプ情報または内容情報へアクセスするためのキーのようなエネーブリング情報を読取る。読取りエンジンは赤色レーザによる光媒体の内容部分からの内容情報の読取りを可能にするためにエネーブリング情報を供給する。例えば、青色レーザは必要な“キー”を含む情報を読取り、このキーはロックを解除または赤色レーザによる光媒体の内容部分の読取りを可能にする。その代わりに、青色レーザは内容の復号に必要な内容保護情報を読取り、その内容保護情報を赤色レーザによる光媒体の内容部分から読取られる情報の復号に適用する。エネーブリング情報は青色レーザにより読取り可能ではあるが赤色レーザにより弁別可能ではないフォーマットで記憶される。例えばエネーブリング情報は光媒体の前面または、光媒体中の僅かな深さに、例えば光媒体の厚さの約０．１ｍｍの深さで青色レーザの焦点近傍に記憶される。前面の赤色レーザの焦点はエネーブリング情報の読取りには十分正確ではない。内容情報は光媒体の厚さの中間の位置、即ち媒体の厚さに対して約０．６ｍｍ、赤色レーザの実質的に焦点の位置に記憶され、したがって赤色レーザにより読取り可能である。
【０００９】
本発明は多くの重要な技術的利点を提供する。重要な技術的利点の１例は赤色レーザを使用して青色レーザ標準方式の動作をサポートしている光ドライブが青色および赤色レーザの両者を含むことである。したがってユーザは青色レーザの能力をもたない青色レーザフォーマットの光ドライブが利用可能であることにより混乱に直面する可能性が少なくなる。さらに、赤色レーザの読取パラメータを設定するために青色レーザにより読取り可能なエネーブリング情報を記憶することにより、光ディスクはさらに迅速に光ディスクのタイプを識別し、光ディスクから内容を読取るようにセットアップされることができる。例えば青色レーザはエネーブリング情報の読取りを青色レーザから赤色レーザへ進行させる必要なく、光媒体の青色および赤色レーザタイプの両者に対してエネーブル情報の読取を開始する。
【発明を実施するための最良の形態】
【００１０】
本発明は添付図面を参照することにより当業者に良好に理解され、その多くの目的、特徴および利点が明白になるであろう。幾つかの図面を通して同一の参照符号の使用は同一または類似の素子を示している。  
情報処理システムの光ドライブにおける青色および赤色レーザの両動作のサポートは青色レーザによってのみ読み取り可能なエネーブリング情報を赤色レーザによってのみ読み取り可能な内容を有する光媒体上に配置することにより強化される。この説明の目的で、情報処理システムは任意の形態の情報、インテリジェンス、またはデータをビジネス、科学、制御またはその他の目的のために、計算し、分類し、処理し、送信し、受信し、検索し、発生し、切換え、記憶し、表示し、明示し、検出し、記録し、再生し、管理し、または使用するように動作可能な任意の手段または手段の集合を含むことができる。例えば情報処理システムはパーソナルコンピュータ、ネットワーク記憶装置、または任意の他の適当な装置であってもよく、サイズ、形状、性能、機能、および価格が異なっている。情報処理システムはランダムアクセスメモリ（ＲＡＭ）、中央処理装置（ＣＰＵ）またはハードウェア或いはソフトウェア制御論理装置のような１以上の処理リソース、ＲＯＭ、および／またはその他のタイプの非揮発性メモリを含むことができる。情報処理システムの付加的なコンポーネントには１以上のディスクドライブ、外部装置と通信するための１以上のネットワークポート、キーボード、マウス、ビデオディスプレイのような種々の入力及び出力（Ｉ／Ｏ）装置が含まれてもよい。情報処理システムはまた種々のハードウェアコンポーネント間で通信を伝送するように動作可能な１以上のバスを含むこともできる。
【００１１】
図１を参照すると、ブロック図はマルチレーザ光媒体を有する情報処理システム10を示している。情報処理システム10はＣＰＵ12、ＲＡＭ14、ハードディスクドライブ16のような、情報を処理する処理コンポーネントを有する。処理コンポーネントは光媒体20へ書込むための情報を通信し、および／または光媒体20から読取る情報を受信するために光ドライブ18とインターフェースする。光ドライブ18は赤色レーザ22と青色レーザ24を有し、それぞれレーザに関して移動するときの光媒体20の反射率の変化によって、情報を書込みまたは情報を読取るために光媒体20を照射するように動作する。読取エンジン26は光媒体20のディスクタイプ情報を読取り、そのディスクタイプに関する読取パラメータを選択することなどによって光媒体ディスク20に情報を照射し、およびそこから情報を読取るためのレーザ22と24の設定を調節する。随意選択的な書込みエンジン28は情報を記憶するための反射品質を変更するように光媒体20を照射するためにレーザ22および24の設定を調節する。
【００１２】
最初に光媒体20を光ドライブ18へ挿入するとき、光媒体はスピンドル30を中心に回転し、青色レーザ24はエネーブリング情報領域からエネーブリング情報を読取るために内部の周縁に位置される。読取りエンジン26はエネーブリング情報を供給することによって、赤色レーザ22が光媒体20の内容領域34から内容を読取ることを可能にする。例えばエネーブリング情報は、市販のＤＶＤ映画の保護のために使用されるような、内容領域34に記憶されている内容を復号するのに必要な内容保護情報である。その代わりに、エネーブリング情報は内容部分のロック解除し、またはその読取りを可能にする“キー”である。別の例として、エネーブリング情報は読取りエンジン26が光媒体20を照射して内容を読取るためのレーザ22と24を構成することを可能にする光媒体タイプの識別情報である。両タイプの光媒体が１つのタイプのレーザの照射により識別されるので、青色レーザにより読取り可能な赤色および青色レーザの両パラメータの識別は、読取りエンジン26が光媒体のタイプを識別するのに必要な時間を減少する。エネーブリング情報は赤色レーザ20では弁別可能ではないようにエネーブリング情報領域32中に記憶されている。したがって、青色レーザは赤色レーザフォーマットで記憶されている内容の読取りを可能にするために必要である。
【００１３】
図２を参照すると、マルチレーザ光媒体の切断側面図は赤色レーザまたは青色レーザにより読取り可能であるように記憶されている情報を示している。エネーブリング情報を青色レーザにより読取り可能にするが、しかし赤色レーザには弁別不能であるようにする１つの技術は媒体表面のエネーブリング情報マーク36の深さとサイズを、焦点を結ばれる青色レーザ照射38と赤色レーザ照射40に関して調節することである。光媒体20の表面で焦点を結ばれるブルーレイディスクタイプの光学装置を使用して、青色レーザ照射38は２マイクロメートル幅よりも小さいスポットを生成し、他方で光媒体20の表面で焦点を結ばれるＤＶＤタイプの光学装置を使用している赤色レーザ照射40は約５マイクロメートル幅のスポットを生成する。光媒体20の表面にエネーブリング情報マーク36を配置し、マーク36をほぼＣＤマークで使用されるサイズ（約２マイクロメートル）の寸法にすることにより、青色レーザ照射38は光媒体20の表面上の個々のマークを弁別できるが、赤色レーザ照射は個々のマークを解像することができないので弁別できない。内容情報領域34に形成される内容マーク42は光媒体20の厚さにおいて約０．６ｍｍの深さで赤色レーザ照射40の焦点に位置されており、赤色レーザ22による内容の読取りを可能にするために標準的な寸法を有する。エネーブリング情報は内容の読取に必要とされるので、青色および赤色レーザの両者が内容の読取りのために必要とされる。
【００１４】
エネーブリング情報が青色レーザにより読取り可能であるが、赤色レーザによる弁別が可能ではないようにするための３つの異なる技術が別々にまたは組合わせて使用されることができ、それらはマークのサイズおよび寸法の操作、選択された反射率を有するマークの使用、特定の深さを有するピットの使用である。エネーブリング情報マーク36のサイズ、深さ、ディメンションはエネーブリング情報がＤＶＤ光学装置を使用する赤色レーザによって弁別できないが、光媒体20の表面上でブルーレイ光学装置を使用する青色レーザによる弁別が可能であるようにするように調節可能である。例えば、深さ０．６ｍｍで使用するように最適化された赤色レーザのディスク正面に焦点を結ぶスポットのサイズは約５マイクロメートルであり、それ故２．５マイクロメートル以下の寸法のマークは弁別できない。青色レーザでは、１．６マイクロメートル程のマークはディスクの前面で弁別が可能である。したがって２．５マイクロメートルよりも小さいが１．６マイクロメートルよりも大きいエネーブリング情報のマークの大きさでは、マークは赤色レーザには弁別可能ではないが青色レーザでは弁別可能である。別の実施形態では、エネーブリング情報のマークは赤色レーザではできないが、青色レーザによるマークの読取は可能にするために可変の深さに位置させる。反射率はマークに赤色光では反射しないが、青色光を反射させるような材料を使用することによって管理される。例えばマークは青色光を反射するが、赤色光は吸収するような色のインクで光媒体20の表面上に付けられる。位相消去はエネーブリング情報マーク36からの赤色光の反射を最小にすることができる。このマークはピット（穴）44として形成され、その深さは上部から反射される光に対して赤色光ではピットのベースから１８０度位相が異なって反射され、消去されるような深さにされている。赤色波長の１／４に等しいこの深さは青色光の吸収を生じない。実際に、反射は青色光に対しては最大に近い。位相消去は通常、光波長の１／２の係数である深さで生じる。エネーブリング情報のマーク36は青色レーザを整列するための追跡情報が無い場合、青色レーザによる読取能力を確実にするために増加された幅を有することができる。
【００１５】
本発明を詳細に説明したが、種々の変更、置換、変形が特許請求の範囲に規定されている本発明の技術的範囲から逸脱することなく行われることができることを理解すべきである。
【図面の簡単な説明】
【００１６】
【図１】マルチレーザ光媒体を有する情報処理システムのブロック図。
【図２】マルチレーザ光媒体の切断側面図。
【図１】
2006318632.tif 000003
【図２】
2006318632.tif 000004
【外国語明細書】
2006318632000001.pdf